(57)【要約】【課題】積み重ねた状態で、上側の飼育ケースを動かすことなく、下側の飼育ケースのケース本体を引出すことができる飼育ケースを提供する。。【解決手段】積み重ね自在であって、周囲４面４と天面５に開口部６を有するとともに前面２には開口部６を形成した扉３を有する立方形状の外枠１と、扉３を全開すると手前に引出自在として外枠１に収納される透明の上方開口状飼育用ケース本体７と、ケース本体７の上方開口部を施蓋する通気用平板状蓋９と、を備える。ケース本体７を外枠１の中に残留したままで、蓋９を手前へ水平移動して、ケース本体７が上方に部分又は全面開口可能となるように、蓋９がケース本体７の上端縁に載置されている。【選択図】図１
0003130836.tif 000002
【実用新案登録請求の範囲】
【請求項１】
積み重ね自在であって、周囲４面（４）と天面（５）に開口部（６）を有するとともに前面（２）には上記開口部（６）を形成した扉（３）を有する立方形状又は直方形状の外枠（１）と、上記扉（３）を全開すると手前に引出自在として上記外枠（１）に収納される透明の上方開口状飼育用ケース本体（７）と、該ケース本体（７）の上方開口部（８）を施蓋する通気用平板状蓋（９）と、を備えたことを特徴とする飼育ケース。
【請求項２】
積み重ね自在であって、周囲４面（４）と天面（５）に開口部（６）を有するとともに前面（２）には上記開口部（６）を形成した扉（３）を有する立方形状又は直方形状の外枠（１）と、上記扉（３）を全開すると手前に引出自在として上記外枠（１）に収納される透明の上方開口状飼育用ケース本体（７）と、該ケース本体（７）の上方開口部（８）を施蓋する通気用平板状蓋（９）と、を備え、
上記蓋（９）が上記ケース本体（７）の上端縁（10）に取外し自在に載置され、該蓋（９）が上方へ開かないように、上記外枠（１）の天井枠（11）が規制していることを特徴とする飼育ケース。
【請求項３】
積み重ね自在であって、周囲４面（４）と天面（５）に開口部（６）を有するとともに前面（２）には上記開口部（６）を形成した扉（３）を有する立方形状又は直方形状の外枠（１）と、上記扉（３）を全開すると手前に引出自在として上記外枠（１）に収納される透明の上方開口状飼育用ケース本体（７）と、該ケース本体（７）の上方開口部（８）を施蓋する通気用平板状蓋（９）と、を備え、
上記ケース本体（７）を上記外枠（１）の中に残留したままで、上記蓋（９）を手前へ水平移動して、上記ケース本体（７）が上方に部分又は全面開口可能となるように、上記蓋（９）が上記ケース本体（７）の上端縁（10）に載置されていることを特徴とする飼育ケース。
【請求項４】
上記ケース本体（７）の前面（12）に吸着して、該ケース本体（７）を手前に引出すための吸盤引出具（13）を付設した請求項１，２又は３記載の飼育ケース。
【考案の詳細な説明】
【技術分野】
【０００１】
本考案は、飼育ケースに関する。
【背景技術】
【０００２】
一般に、昆虫、小動物、爬虫類、両生類等を飼育するための飼育ケースは、ケース本体と蓋を備える（例えば、特許文献１参照）。
【０００３】
しかし、従来の飼育ケースを複数積み重ねると、下側の飼育ケースのケース本体を引出す場合、上側の飼育ケースをよける（移動させる）必要があり、手間がかかるという欠点があった。
【特許文献１】特開２００１−５４３３９号公報
【考案の開示】
【考案が解決しようとする課題】
【０００４】
解決しようとする課題は、一旦積み重ねると、上側の飼育ケースを動かさずには下側の飼育ケースのケース本体を引き出すことができない点である。
【課題を解決するための手段】
【０００５】
そこで、本考案に係る飼育ケースは、積み重ね自在であって、周囲４面と天面に開口部を有するとともに前面には上記開口部を形成した扉を有する立方形状又は直方形状の外枠と、上記扉を全開すると手前に引出自在として上記外枠に収納される透明の上方開口状飼育用ケース本体と、該ケース本体の上方開口部を施蓋する通気用平板状蓋と、を備えたものである。
【０００６】
また、積み重ね自在であって、周囲４面と天面に開口部を有するとともに前面には上記開口部を形成した扉を有する立方形状又は直方形状の外枠と、上記扉を全開すると手前に引出自在として上記外枠に収納される透明の上方開口状飼育用ケース本体と、該ケース本体の上方開口部を施蓋する通気用平板状蓋と、を備え、上記蓋が上記ケース本体の上端縁に取外し自在に載置され、該蓋が上方へ開かないように、上記外枠の天井枠が規制しているものである。
【０００７】
また、積み重ね自在であって、周囲４面と天面に開口部を有するとともに前面には上記開口部を形成した扉を有する立方形状又は直方形状の外枠と、上記扉を全開すると手前に引出自在として上記外枠に収納される透明の上方開口状飼育用ケース本体と、該ケース本体の上方開口部を施蓋する通気用平板状蓋と、を備え、上記ケース本体を上記外枠の中に残留したままで、上記蓋を手前へ水平移動して、上記ケース本体が上方に部分又は全面開口可能となるように、上記蓋が上記ケース本体の上端縁に載置されているものである。
【０００８】
また、上記ケース本体の前面に吸着して、該ケース本体を手前に引出すための吸盤引出具を付設したものである。
【考案の効果】
【０００９】
本考案の飼育ケースによれば、積み重ねた状態で、上側の飼育ケースを動かすことなく、下側の飼育ケースのケース本体を引出すことができる。ケース本体内の生物が蓋を上方へ押し開こうとしても、外枠によって、それを防ぐことが可能である。また、透明のケース本体に他の物体が衝突することを、外枠がガードして、ケース本体の破損を防止できる。
【考案を実施するための最良の形態】
【００１０】
図１は、本考案の実施の一形態の使用状態を示す。この飼育ケースＳは、昆虫、小動物（たとえば、ハムスター等の哺乳類）、甲殻類（たとえば、やどかり）、爬虫類、両生類等の生物Ｃを飼育するために用いられる。
【００１１】
具体的には、積み重ね自在であって、周囲４面４と天面５に開口部６を有するとともに前面２には開口部６を形成した扉３を有する立方（立方体）形状の木製又は合成樹脂製の外枠１を、備えている。図２・図８に示すように、扉３を全開すると手前に（前方へ）引出自在として外枠１に収納される透明の（たとえばガラス、アクリル樹脂等から成る）上方開口状飼育用ケース本体７を、備えている。
【００１２】
図３に示すように、ケース本体７の上方開口部８を施蓋する通気用平板状蓋９を、備えている。例えば、蓋９は、通気部９ａ（例えば金網やパンチングメタルやプラスチック網から成る）と、通気部９ａの周囲に配設された補強枠部９ｂとから成る。ケース本体７は、立方形状であるのが好ましい。この場合、蓋９をケース本体７の上方開口部８の形状に対応した正方形平板状として、蓋９を水平面内で90°回転した方向にも用いることができる。
【００１３】
図４に示すように、蓋９がケース本体７の上端縁10に取外し自在に載置され、蓋９が上方へ開かないように、外枠１の天井枠11が規制している。
【００１４】
さらに、図６に示すように、ケース本体７を外枠１の中に残留したままで、蓋９を手前へ水平移動して、ケース本体７が上方に部分又は全面開口可能となるように、蓋９がケース本体７の上端縁10に載置されている。
【００１５】
図５・図７に示すように、ケース本体７の前面12に吸着して、ケース本体７を手前に引出すための吸盤引出具13が、付設されている。
【００１６】
図１・図８の符号14はマグネット（磁石）を示す。これら複数のマグネット14は、扉３が閉状態を保つことを補助するように、外枠１の扉３及び扉３以外の部分に、扉３の閉状態に於て相互に近接・対応する位置に、設けられている。
【００１７】
なお、本考案は、設計変更可能であって、例えば、外枠１を直方（直方体）形状とするも良い。あるいは、外枠１の底面壁20にも開口部６を形成するも自由である。好ましくは、立方形状又は直方形状の外枠１は、（その扉３を除いた形状構造に於て、）少なくとも各稜線に沿って棒状乃至帯板状又はアンプル状等の稜線を配置して構成される。
【００１８】
以上のように、本考案は、積み重ね自在であって、周囲４面４と天面５に開口部６を有するとともに前面２には開口部６を形成した扉３を有する立方形状又は直方形状の外枠１と、扉３を全開すると手前に引出自在として外枠１に収納される透明の上方開口状飼育用ケース本体７と、ケース本体７の上方開口部８を施蓋する通気用平板状蓋９と、を備えたので、積み重ねた状態で、上側の飼育ケースＳを動かすことなく、下側の飼育ケースＳのケース本体７を引出すことができる。外枠１がケース本体７の破損を防止する保護カバーの役目を果たす。
【００１９】
また、積み重ね自在であって、周囲４面４と天面５に開口部６を有するとともに前面２には開口部６を形成した扉３を有する立方形状又は直方形状の外枠１と、扉３を全開すると手前に引出自在として外枠１に収納される透明の上方開口状飼育用ケース本体７と、ケース本体７の上方開口部８を施蓋する通気用平板状蓋９と、を備え、蓋９がケース本体７の上端縁10に取外し自在に載置され、蓋９が上方へ開かないように、外枠１の天井枠11が規制しているので、積み重ねた状態で、上側の飼育ケースＳを動かすことなく、下側の飼育ケースＳのケース本体７を引出すことができる。外枠１がケース本体７の破損を防止する保護カバーの役目を果たす。
【００２０】
また、（ケース本体７を外枠１に収納した状態で）ケース本体７の内部で飼育されている虫等の生物Ｃが内側から蓋９を押し上げるのを防止し、ケース本体７の外部へ脱走することを防止することができる。
【００２１】
また、積み重ね自在であって、周囲４面４と天面５に開口部６を有するとともに前面２には開口部６を形成した扉３を有する立方形状又は直方形状の外枠１と、扉３を全開すると手前に引出自在として外枠１に収納される透明の上方開口状飼育用ケース本体７と、ケース本体７の上方開口部８を施蓋する通気用平板状蓋９と、を備え、ケース本体７を外枠１の中に残留したままで、蓋９を手前へ水平移動して、ケース本体７が上方に部分又は全面開口可能となるように、蓋９がケース本体７の上端縁10に載置されているので、積み重ねた状態で、上側の飼育ケースＳを動かすことなく、下側の飼育ケースのケース本体７を引出すことができる。外枠１がケース本体７の破損を防止する保護カバーの役目を果たす。
【００２２】
また、飼育ケースＳを積み重ねない場合等に、ケース本体７を外枠１の内部に収納したまま蓋９だけを開閉することができ、容易にエサやり等ができて至便である。飼育ケースＳを積み重ねた場合にも、蓋９がケース本体７の上端縁10に載置状に手前へ水平移動することができるので、容易にエサやり等ができて至便である。
【００２３】
また、ケース本体７の前面12に吸着して、ケース本体７を手前に引出すための吸盤引出具13を付設したので、ケース本体７を手前に容易に引出すことができる。
【図面の簡単な説明】
【００２４】
【図１】本考案の実施の一形態を示す斜視図である。
【図２】ケース本体を示す斜視図である。
【図３】蓋を示す斜視図である。
【図４】簡略横断面側面図である。
【図５】簡略横断面側面図である。
【図６】簡略横断面側面図である。
【図７】飼育ケースを積み重ねた状態を示す簡略横断面側面図である。
【図８】扉を開いた状態を示す正面図である。
【符号の説明】
【００２５】
１  外枠
２  前面
３  扉
４  面
５  天面
６  開口部
７  ケース本体
８  上方開口部
９  蓋
10  上端縁
11  天井枠
12  前面
13  吸盤引出具
【図１】
0003130836.tif 000003
【図２】
0003130836.tif 000004
【図３】
0003130836.tif 000005
【図４】
0003130836.tif 000006
【図５】
0003130836.tif 000007
【図６】
0003130836.tif 000008
【図７】
0003130836.tif 000009
【図８】
0003130836.tif 000010